(57)【要約】  エッジライト式面状光源装置の輝度ムラを抑制する。  本発明のエッジライト式面状光源装置は、端面７４から入射された光を表面７１から出射させる導光板７と、直列接続された複数個のＬＥＤ素子１１１と、ＬＥＤ素子１１１を直線状に並べて実装するＬＥＤ基板１１２とを有し、ＬＥＤ素子１１１が導光板７の端面７４と向かい合うように配置される線状光源ユニット１１と、導光板７が載せられる床面９１と、導光板７の周縁部にその裏面側から表面側へ向けて挿入される前記床面に立設された係止部１０と、を備える。複数個のＬＥＤ素子１１１のうち、係止部１０の近傍に配置されるＬＥＤ素子１１１の輝度を、その他のＬＥＤ素子１１１の輝度よりも高くするために、前記その他のＬＥＤ素子１１１に抵抗素子１１７を並列接続する。
2011114598.tif 000002
【特許請求の範囲】
【請求項１】
複数個の直列に接続されたＬＥＤ素子が直線状に並んで実装されるＬＥＤ基板の各ＬＥＤ素子が床面上に載せられた導光板の端面と向かい合うように配置される線状光源ユニットを備え、前記床面には前記導光板の周縁部に位置して係止部が立設されると共に、該係止部が前記導光板の周縁部の裏面側から表面側へ向けて挿通されるエッジライト式面状光源装置であって、
前記線状光源ユニットのＬＥＤ基板に実装される複数個の前記ＬＥＤ素子のうち前記係止部の近傍に配置されるＬＥＤ素子より導光板に向けて出射される光の輝度が遠い位置に配置されるＬＥＤ素子より導光板に向けて出射される光の輝度よりも高くなるようにその遠い位置に配置されるＬＥＤ素子には抵抗素子が並列に接続されていることを特徴とするエッジライト式面状光源装置。
【請求項２】
前記抵抗素子が、前記係止部の近傍に配置されるＬＥＤ素子以外のＬＥＤ素子毎に並列に接続される請求項１に記載のエッジライト式面状光源装置。
【請求項３】
前記抵抗素子が、前記係止部の近傍に配置されるＬＥＤ素子以外のＬＥＤ素子のうち、連続して並ぶ複数個のＬＥＤ素子に対して並列に接続される請求項１に記載のエッジライト式面状光源装置。
【請求項４】
前記係止部の近傍に配置されるＬＥＤ素子に、前記抵抗素子よりも抵抗値が大きな近傍用抵抗素子が並列に接続される請求項１〜３の何れか１項に記載のエッジライト式面状光源装置。
【請求項５】
透過型又は半透過型の液晶表示パネルの背面側に前記請求項１〜４の何れか１項に記載のエッジライト式面状光源装置が配設されていることを特徴とする液晶表示装置。
【発明の詳細な説明】
【技術分野】
【０００１】
本発明は、エッジライト式面状光源装置、及び前記光源装置を備える液晶表示装置に関する。
【背景技術】
【０００２】
透過型又は半透過型の液晶表示装置は、液晶表示パネルと、この液晶表示パネルの背面側に配設される面状光源装置（所謂、バックライト）とを備える。この種の液晶表示装置は、面状光源装置から照射される面状の光を利用して、液晶表示パネルの表示面に画像を表示させている。【０００３】
前記面状光源装置としては、基板上に複数個のＬＥＤ（発光ダイオード）チップが直線状に実装されたもの又は冷陰極管からなる線状光源が、アクリル樹脂等の透明な板材からなる導光板の端面に沿うように配設されたエッジライト式（サイドライト式）面状光源装置が知られている。この種の面状光源装置は、線状光源から発せられた光が、導光板の端面からその内部に導入され、そしてその導入された光が導光板の表面から面状の光となって出射される。導光板の裏面には、導光板の端面から入射した光を散乱させるための斑点状の散乱部が設けられており、また導光板の裏面側には、前記光を反射させる反射シートが配置されている。そのため、上記のように線状光源から発せられた光が散乱部又は反射シートによって散乱又は反射されて、導光板の表面から面状の光となって出射される。【０００４】
特許文献１に示されるように、この種の面状光源装置で利用される導光板としては、その周縁部に、導光板をシャーシ等に対して位置決め又は固定するための、切り欠き又は貫通孔を備えるものがある。この切り欠き又は貫通孔は、略矩形状の導光板の周端面よりも、内側に設けられている。このような導光板は、これらの切り欠き等に、シャーシ等から立設されたピン等の突起状の係止部が挿入されることによって、位置決め又は固定される。【０００５】
このような構成で、位置決め又は固定される導光板は、その周縁部の外側に、位置決め等の目的で、特許文献２等に示されるような凸部を設ける必要がない。その為、導光板の何れの端面の形状も、略真っ直ぐ（略平坦）に設定することが可能となっている。このような導光板を備える面状光源装置は、導光板の任意の端面に沿うように、線状光源を配設できる。また、このような導光板を備える面状光源装置は、表示面を囲む非表示領域が狭い液晶表示パネル（所謂、狭額縁の液晶表示パネル）に好適である。
【先行技術文献】
【特許文献】
【０００６】
【特許文献１】特開平６−１８６４３２号公報
【特許文献２】特開２００５−３０２４８５号公報
【発明の概要】
【発明が解決しようとする課題】
【０００７】
しかしながら、特許文献１に示されるように、導光板の周端面よりも内側の部分に、ピン等の係止部が挿入されていると、その係止部が、線状光源から照射された光を遮ってしまい、面状光源装置に輝度ムラが生じることがあった。【０００８】
ここで、図５を参照しつつ、更に面状光源装置に生じる輝度ムラについて説明する。図５は、従来のエッジライト式面状光源装置４Ｐの構成を模式的に表した平面図である。図５に示されるように、従来のエッジライト式面状照明装置４Ｐは、略矩形状の導光板７を備える。この導光板７における長辺側の周辺部には、複数個の切り欠き７３が設けられており、これらの切り欠き７３に複数本の係止ピン（係止部）１０が挿入されている。このような導光板７における長辺側の２つの端面７４（７４Ａ，７４Ｂ）には、線状光源ユニット１１Ｐが配設されている。線状光源ユニット１１Ｐは、複数個のＬＥＤ素子１１１がＬＥＤ基板上に一列に並ぶように実装されたものからなる。各ＬＥＤ素子１１１は、各々光を出射させる出光面１１３を有し、これらの出光面１１３がそれぞれ導光板７の端面７４と向かい合うに配置されている。【０００９】
図５に示されるような、従来のエッジライト式面状光源装置４Ｐにおいて、線状光源ユニット１１Ｐから導光板７に対して光が照射されると、導光板７の端面７４に向けて照射された光が、その前方の係止ピン１０によって遮られ、係止ピン１０の後方（背後）にその周辺よりも輝度の低い部分（所謂、影）２０が生じる。このような場合、その輝度の低い部分２０における導光板７の表面７１から出射する光が、その他の部分よりも少なくなるため暗くなり、面状光源装置４Ｐから全体として不均一な明るさの面状の光が出射されてしまう。つまり、面状光源装置４Ｐから出射される光に輝度ムラが生じる。このように、面状光源装置４Ｐから出射される光が不均一であると、液晶表示パネルに表示ムラ（輝度ムラ）が現れ、問題となる。【００１０】
特許文献１には、面状光源装置から出射される光を均一にするために、導光板の裏面に設けられている散乱部の大きさ、配置等を調節して、散乱光を係止部の背後に多く集める技術が記載されている。しかしながら、散乱部の大きさ等を調節することのみでは、液晶表示パネルの表示ムラ（輝度ムラ）を解消できる程度に、係止部の背後を充分明るくすることは難しく、問題となっている。【００１１】
本発明が解決しようとする課題は、導光板の表面から面状の光となって表示パネル面に照射されるときのその表示パネル面に照射される光の不均一による表示パネル面の輝度ムラを回避するエッジライト式面状光源装置を提供すること、並びにそのような対策が採られた面状光源装置を備えた液晶表示装置を提供することである。
【課題を解決するための手段】
【００１２】
本発明に係るエッジライト式面状光源装置は、以下の通りである。
＜１＞  複数個の直列に接続されたＬＥＤ素子が直線状に並んで実装されるＬＥＤ基板の各ＬＥＤ素子が床面上に載せられた導光板の端面と向かい合うように配置される線状光源ユニットを備え、前記床面には前記導光板の周縁部に位置して係止部が立設されると共に、該係止部が前記導光板の周縁部の裏面側から表面側へ向けて挿通されるエッジライト式面状光源装置であって、
前記線状光源ユニットのＬＥＤ基板に実装される複数個の前記ＬＥＤ素子のうち前記係止部の近傍に配置されるＬＥＤ素子より導光板に向けて出射される光の輝度が遠い位置に配置されるＬＥＤ素子より導光板に向けて出射される光の輝度よりも高くなるようにその遠い位置に配置されるＬＥＤ素子には抵抗素子が並列に接続されていることを特徴とするエッジライト式面状光源装置。【００１３】
＜２＞  前記＜１＞に記載される面状光源装置において、前記抵抗素子が、前記係止部の近傍に配置されるＬＥＤ素子以外のＬＥＤ素子毎に並列に接続されることを特徴とする。【００１４】
＜３＞  前記＜１＞に記載される面状光源装置において、前記抵抗素子が、前記係止部の近傍に配置されるＬＥＤ素子以外のＬＥＤ素子のうち、連続して並ぶ複数個のＬＥＤ素子に対して並列に接続されることを特徴とする。【００１５】
＜４＞  前記＜１＞〜＜３＞に記載される面状光源装置において、前記係止部の近傍に配置されるＬＥＤ素子に、前記抵抗素子よりも抵抗値が大きな近傍用抵抗素子が並列に接続されることを特徴とする。【００１６】
＜５＞  本発明に係る液晶表示装置は、透過型又は半透過型の液晶表示パネルの背面側に前記＜１＞〜＜４＞の何れか１つに記載のエッジライト式面状光源装置が配設されていることを特徴とする。
【発明の効果】
【００１７】
本発明のエッジライト式面状光源装置によれば、線状光源ユニットのＬＥＤ基板に実装されるＬＥＤ素子群より導光板に入射される光は導光板の表面から面状の光となって表示パネル面に照射されるが、そのときに床面に立設される係止部の近傍に配置されるＬＥＤ素子から発せられる光の輝度が、その係止部より遠い位置に配置されるＬＥＤ素子に抵抗素子が並列に接続されることによりその領域のＬＥＤ素子から発せられる光の輝度を下げたことにより実質的に高くなるようにしたので、導光板から表示パネル面に照射される光の均一化が図れ、表示パネル面の輝度ムラが回避されるという効果を奏する。
【図面の簡単な説明】
【００１８】
【図１】本発明の一実施形態に係る液晶表示装置の断面を模式的に表した説明図である。
【図２】エッジライト式面状光源装置の構成を模式的に表した平面図である。
【図３】線状光源ユニットに実装されているＬＥＤ素子の回路を模式的に表した説明図である。
【図４】線状光源ユニットに実装されているＬＥＤ素子の回路の変形例を模式的に表した説明図である。
【図５】従来のエッジライト式面状光源装置構成を模式的に表した平面図である。
【発明を実施するための形態】
【００１９】
以下、図面を参照しつつ、本発明に係るエッジライト式面状光源装置及び液晶表示装置の実施形態を説明する。ただし、本発明は、本明細書に例示する実施形態に限定されるものではない。
【００２０】
図１は、一実施形態に係る液晶表示装置１の断面を模式的に表した説明図である。図１に示されるように、液晶表示装置１は、ベゼル２、液晶表示パネル３、及びエッジライト式面状光源装置４を備える。
【００２１】
ベゼル２は、液晶表示パネル３の周縁に被せられる額縁形状を有する。ベゼル２は、後述するシャーシ９と共に液晶表示装置１全体の強度を確保する。
【００２２】
液晶表示パネル３は、液晶材料を挟むように２枚のガラス基板を貼り合わせたものからなる。液晶表示パネル３は、エッジライト式面状光源装置４の上側に配置され、前記光源装置４から照射された光を裏面（背面）３２に受け、その光を利用して表面（前面）３１に画像を表示させる。液晶表示パネル３は、エッジライト式面状光源装置４が備えるコントロール基板（不図示）と電気的に接続されている。
【００２３】
エッジライト式面状光源装置４は、フレーム５、光学シート６、導光板７、反射シート８、シャーシ９、係止ピン（係止部）１０、及び線状光源ユニット１１を備える。
【００２４】
シャーシ９は、アルミ等の金属製の板材を折り曲げ加工等して製造されたものからなり、浅底の容器形状を有する。シャーシ９は、表面（床面）９１に導光板７等が載せられる底９２と、この底９２の回りを囲むように、前記底９２に立設された周壁部９３とを備える。
【００２５】
シャーシ９の床面９１上には、略矩形状の反射シート８が敷かれる。反射シート８は、例えば、白色の発泡樹脂シート（例えば、発泡ポリエチレンテレフタレートシート）からなる。この反射シート８は、その周縁に、複数個所の切り欠き８１を有する。この反射シート８上には、導光板７が載せられる。反射シート８の切り欠き８１の位置は、後述する導光板７の切り欠き７３の位置に対応するように設定されている。
【００２６】
導光板７は、アクリル樹脂等の透明材料からなる板状の部材からなり、例えば、厚みが３〜４ｍｍ程度のものが利用される。図２は、エッジライト式面状光源装置４の構成を模式的に表した平面図である。図２には、導光板７の表面７１側から平面視した状態のエッジライト式面状光源装置４が示されている。なお、実際には、導光板７の表面７１上には光学シート６等が配置されているが、説明の便宜上、図２では省略されている。
【００２７】
図２に示されるように、導光板７は略矩形状であり、その周縁部に複数個の切り欠き７３が設けられている。複数個の切り欠き７３のうち、３個の切り欠き７３ａ、７３ｂ及び７３ｃが、一方の長辺側の端面７４（７４Ａ）よりも内側の周縁部に設けられている。また、別の３個の切り欠き７３ｄ、７３ｅ及び７３ｆが、他方の長辺側の端面７４（７４Ｂ）よりも内側の周縁部に設けられている。また、切り欠き７３ｘが、一方の短辺側の端面７４（７４Ｃ）よりも内側の周縁部に設けられ、切り欠き７３ｙが、他方の短辺側の端面７４（７４Ｄ）よりも内側の周縁部に設けられている。各切り欠き７３は、図２に示されるように、導光板７の各端面７４から内側へＵ字状に窪んだ形状となっている。
【００２８】
なお、導光板７の裏面７２には、斑点状の散乱部（不図示）が複数個設けられている。散乱部としては、例えば、白色顔料等を含む塗料を導光板７の裏面７２に斑点状にシルク印刷して形成されたもの、導光板７の裏面７２を削って形成した凹部（所謂、シボ）からなるもの等が挙げられる。  
【００２９】
導光板７の各切り欠き７３には、それぞれ円柱状の係止ピン１０が挿入されている。係止ピン１０は、図１に示されるように、シャーシ９の床面（底）９１から立設されており、導光板７の裏面７２側から表面７１側へ向かうように切り欠き７３に挿入される。なお、図１に示されるように、係止ピン１０は、導光板７の切り欠き７３と共に、反射シート８の切り欠き８１にも挿入されている。このように係止ピン１０が、各切り欠き７３に挿入されることによって、導光板７がシャーシ９の床面９１上で位置決めされる。本実施形態の係止ピン１０は、シャーシ９と同種の材料からなる。図１に示されるように、係止ピン１０の上方には、額縁形状のベゼル２等が配置している。つまり、係止ピン１０は、液晶表示装置１（液晶表示パネル３）の非表示領域に配置されている。
【００３０】
図１に示されるように、導光板７の表面７１上には、光学シート６が積層されている。光学シート６は、導光板７の表面７１を覆うような略矩形状のシートからなる。本実施形態の光学シート６は、３層からなり、各層は、偏光選択性反射層、レンズ層、及び拡散層からなる。拡散層は、導光板７の表面７１から出射される光を拡散させ、輝度分布を均一にする機能を有する。レンズ層は、拡散層から出射される光を集光して、正面輝度を高める機能を有する。偏光選択性反射層は、レンズ層を透過した光が、液晶表示パネル３を背面側に貼り付けられた偏光板（不図示）に吸収されないように選択的に反射させる機能を有する。
【００３１】
なお、図１に示されるように、反射シート８、導光板７、及び光学シート６は、この順でシャーシ９の床面９１上に積層されており、これらの積層物をシャーシ９に固定するために、額縁形状のフレーム５が、シャーシ９に被せられている。
【００３２】
図１及び図２に示されるように、導光板７の端面７４に向けて光が照射されるように、線状光源ユニット１１（１１Ａ、１１Ｂ、１１Ｃ及び１１Ｄ）が配設されている。線状光源ユニット１１は、複数個のＬＥＤ素子１１１が、長尺状のＬＥＤ基板１１２上に実装されたものからなる。これらのＬＥＤ素子１１１は、ＬＥＤ基板１１２上で一列に並ぶように、直線状に実装されている。ＬＥＤ素子１１１は、例えば、青色光を発色させるＬＥＤチップを、黄色蛍光体が混合された透明樹脂で密封したパッケージ構造からなる。ＬＥＤ素子１１１は、その前面（出光面）１１３から白色の光を出射する。各ＬＥＤ素子１１１の出光面１１３から出射された光は、端面７４から導光板７の内部に入射される。
【００３３】
ＬＥＤ基板１１２は、アルミ等の放熱板（不図示）と、この放熱板上を覆う絶縁層（不図示）とを有する。ＬＥＤ基板１１２に実装された各ＬＥＤ素子１１１は、互いに配線パターン（不図示）で直列接続されている。この配線パターンは、前記絶縁層（不図示）上に形成されている。ＬＥＤ基板１１２の一端には、電源側基板コネクタ（不図示）が配置し、他端には、グランド側基板コネクタ（不図示）が配置している。電源側基板コネクタ及びグランド側基板コネクタは、前記ＬＥＤ素子１１１に電源（電力）を供給するためのものである。電源側基板コネクタは、電源側端子（＋端子）を備え、グランド側基板コネクタは、グランド側端子（−端子）を備える。電源側基板コネクタ及びグランド側基板コネクタは、ケーブル（不図示）を介してエッジライト式面状光源装置４が備える電源基板（不図示）に接続されている。
【００３４】
図１に示されるように、ＬＥＤ基板１１２のＬＥＤ素子１１１が実装されていない側には、熱伝導シート１１４が貼り付けられている。更に、熱伝導シート１１４がＬＥＤ基板１１２との間で挟まれるように、固定部材１１５が配設されている。この固定部材１１５は、金属製の板材を折り曲げ加工したものからなり、断面がＬ字形状となっている。シャーシ９の床面９１に対して直立している部分の固定部材１１５に、ＬＥＤ基板１１２が、熱伝導シート１１４を介して固定されている。なお、床面９１上に載っている部分の固定部材１１５は、ネジ１１６でシャーシ９に固定されている。
【００３５】
図２に示されるように、２つの線状光源ユニット１１Ａ、１１Ｂが、略矩形状の導光板７の一方の長辺側の端面７４Ａに沿うように、並べて配置されている。各線状光源ユニット１１Ａ、１１Ｂ上に実装されているＬＥＤ素子１１１の出光面１１３と、導光板７の端面７４Ａとの間には、導光板７の熱膨張を考慮して設定された隙間が設けられている。また、別の２つの線状光源ユニット１１Ｃ、１１Ｄが、導光板７の他方の長辺側の端面７４Ｂに沿うように、並べて配置されている。各線状光源ユニット１１Ｃ、１１Ｄ上に実装されているＬＥＤ素子１１１の出光面と、導光板７の端面７４Ｂとの間にも、導光板７の熱膨張を考慮して設定された隙間が設けられている。
【００３６】
図２に示されるように、導光板７の一方の長辺側の端面７４Ａよりも内側の周辺部には、３つの係止ピン１０ａ、１０ｂ及び１０ｃが配置している。また、導光板７の他方の長辺側の端面７４Ｂよりも内側の周辺部にも、３つの係止ピン１０ｄ、１０ｅ及び１０ｆが配置している。これらの係止ピン１０ａ〜１０ｆの前方には、線状光源ユニット１１Ａ〜１１Ｄが配置している。
【００３７】
本実施形態のエッジライト式面状光源装置４において、各線状光源ユニット１１が備えるＬＥＤ素子１１１のうち、各係止ピン１０の近傍に配置されるＬＥＤ素子１１１の輝度が、他のＬＥＤ素子１１１の輝度よりも、明るくなるように、設定されている。具体的には、係止ピン１０ａの近傍に配置するＬＥＤ素子１１１ｌ及びＬＥＤ素子１１１ｍ、係止ピン１０ｂの近傍に配置するＬＥＤ素子１１１ｎ及び１１１ｏ、係止ピン１０ｃの近傍に配置するＬＥＤ素子１１１ｐ及びＬＥＤ素子１１１ｑ、係止ピン１０ｄの近傍に配置するＬＥＤ素子１１１ｃ及び１１１ｄ、係止ピン１０ｅの近傍に配置するＬＥＤ素子１１１ｈ及び１１１ｉ、係止ピン１０ｆの近傍に配置するＬＥＤ素子１１１ｊ及び１１１ｋを、その他のＬＥＤ素子１１１よりも、輝度が高くなるよに設定されている。  
【００３８】
ここで、図２に示される線状光源ユニット１１ｃを例に挙げて、係止ピン１０の近傍に配置するＬＥＤ素子の輝度を、その他のＬＥＤ素子の輝度よりも高くする方法を説明する。線状光源ユニット１１ｃは、ＬＥＤ基板１１２上に実装された８個のＬＥＤ素子１１１ａ、１１１ｂ、１１１ｃ、１１１ｄ、１１１ｅ、１１１ｆ、１１１ｇ及び１１１ｈを備える。これらのＬＥＤ素子１１１のうち、ＬＥＤ素子１１１ｃ及１１１ｄは、係止ピン１０ｄの近傍に配置し、またＬＥＤ素子１１１ｈは、係止ピン１０ｅの近傍に配置している。その為、これらのＬＥＤ素子１１１ｃ、１１１ｄ及び１１１ｈは、他のＬＥＤ素子１１１ａ、１１１ｂ、１１１ｅ、１１１ｆ及び１１１ｇよりも、輝度が高くなるように設定されている。
【００３９】
図３は、線状光源ユニット１１ｃに実装されているＬＥＤ素子１１１の回路を模式的に表した説明図である。図３に示されるように、８個のＬＥＤ素子１１１ａ〜１１１ｈは、配線パターン２００によって、直列接続されている。これらのＬＥＤ素子１１１は、前述の電源基板に基づいて、定電流制御される。また、これらのＬＥＤ素子１１１は、説明の便宜上、同一電流が供給された場合に、同じ輝度で光を発するものからなるとする。なお、配線パターン２００の一方の端部には、電源側端子（＋端子）２０１が配置し、他方の端部には、グランド側端子（−端子）２０２が配置している。
【００４０】
図３に示されるように、係止ピン１０ｄ（図２参照）の近傍に配置していないＬＥＤ素子１１１ａ、１１１ｂ、１１１ｅ、１１１ｆ及び１１１ｇには、それぞれ抵抗素子１１７が並列接続されている。より具体的には、ＬＥＤ素子１１１ａには、抵抗素子１１７ａが並列接続され、ＬＥＤ素子１１１ｂには、抵抗素子１１７ｂが並列接続され、ＬＥＤ素子１１１ｅには、抵抗素子１１７ｅが並列接続され、ＬＥＤ素子１１１ｆには、抵抗素子１１７ｆが並列接続され、ＬＥＤ素子１１１ｇには、抵抗素子１１７ｇが並列接続される。これらの抵抗素子１１７ａ、１１７ｂ、１１７ｅ、１１７ｆ、及び１１７ｇの各抵抗値は、ＬＥＤ素子１１１ａ、１１１ｂ、１１１ｅ、１１１ｆ、及び１１１ｇの輝度が、互いに等しくなるように設定される。
【００４１】
このように、ＬＥＤ素子１１１ａ、１１１ｂ、１１１ｅ、１１１ｆ及び１１１ｇのそれぞれに、抵抗素子１１７ａ、１１７ｂ、１１７ｅ、１１７ｆ及び１１７ｇをそれぞれ並列接続することによって、前記ＬＥＤ素子１１１等に流れる電流を、係止ピン１０の近傍に配置するＬＥＤ素子１１１ｃ、１１１ｄ及び１１１ｈに流れる電流よりも、減らしている。つまり、係止ピン１０の近傍に配置するＬＥＤ素子１１１ｃ、１１１ｄ及び１１１ｈを流れる電流の方が、他の前記ＬＥＤ素子１１１ａ等を流れる電流よりも大きくなる。このようにして、係止ピン１０の近傍に配置する前記ＬＥＤ素子１１１ｃ等の輝度を、その他の前記ＬＥＤ素子１１１ａの輝度よりも高く設定できる。
【００４２】
なお、抵抗素子１１７は、図１に示されるように、ＬＥＤ素子１１１と共にＬＥＤ基板１１２上に実装されている。
【００４３】
図４は、線状光源ユニット１１ｃに実装されているＬＥＤ素子１１１の回路の変形例を模式的に表した説明図である。図４に示されるように、８個のＬＥＤ素子１１１ａ〜１１１ｈは、配線パターン２００によって直列接続され、定電流制御される。配線パターン２００の一方の端部には、電源側端子（＋端子）２０１が配置し、他方の端部には、グランド側端子（−端子）２０２が配置している。これらのＬＥＤ素子１１１は、説明の便宜上、同一電流が供給された場合に、同じ輝度で光を発するものからなるとする。
【００４４】
係止ピン１０ｄの近傍に配置するＬＥＤ素子１１１ｃには、抵抗素子（近傍用抵抗素子）１１８ｃが並列接続され、同じく係止ピン１０ｄの近傍に配置するＬＥＤ素子１１１ｄには、抵抗素子（近傍用抵抗素子）１１８ｄが並列接続されている。また、他の係止ピン１０ｅの近傍に配置するＬＥＤ素子１１１ｈには、抵抗素子は並列接続されていない。これに対し、他のＬＥＤ素子１１１ａ及びＬＥＤ素子１１１ｂには、抵抗素子１１９が並列接続され、他のＬＥＤ素子１１１ｅ、ＬＥＤ素子１１１ｆ及びＬＥＤ素子ｇには、抵抗素子１２０が並列接続されている。つまり、複数個のＬＥＤ素子に対して、１つの抵抗素子が並列接続されている。
【００４５】
抵抗素子１１８ｃ及び抵抗素子１１８ｄのそれぞれの抵抗値は、抵抗素子１１９の抵抗値及び抵抗素子１２０の抵抗値よりも大きくなるように設定されている。図４に示される各ＬＥＤ素子１１１のうち、ＬＥＤ素子１１１ｈに最も多くの電流が流れ、次いで、ＬＥＤ素子１１１ｃ及びＬＥＤ素子１１１ｄに多くの電流が流れる。このように抵抗素子を、複数個のＬＥＤ素子に対応するように並列接続させて、各ＬＥＤ素子に流れる電流量を調節し、各ＬＥＤ素子の輝度を調節しても良い。また、係止ピン１０の近傍に配置するＬＥＤ素子に対しても、必要に応じて、抵抗素子（近傍用抵抗素子）を並列接続させても良い。
【００４６】
その他の線状光源ユニット１１ａ、１１ｂ、及び１１ｄについても、線状光源ユニット１１ｃと同様にして、係止ピン１０の近傍に配置するＬＥＤ素子１１１ｉ、１１１ｊ、１１１ｋ、ｌｌｌｌ、１１１ｍ、１１１ｎ、１１１ｏ、１１１ｐ及び１１１ｑの輝度をその他のＬＥＤ素子１１１の輝度よりも高く設定できる。
【００４７】
このように、各係止ピン１０の近傍に配置する前記ＬＥＤ素子１１１ｃ等の輝度を高めると、各係止ピン１０の周囲に向かう光（光量）が増加するため、各係止ピン１０の周囲の光量が増加する。図２には、各係止ピン１０の背後に前記ＬＥＤ素子１１１ｃ等からの光が向かう様子が、矢印を用いて模式的に示されている。このように、前記ＬＥＤ素子１１１ｃ等の輝度を高くすることによって、各係止ピン１０の背後も、他の部分と同様に明るくできる。
【００４８】
なお、導光板７における一方の短辺側の端面７４Ｃよりも内側の周縁部に、係止ピン１１０（１１０ｘ）が切り欠き７３（７３ｘ）を利用して挿入されている。また、導光板７における他方の短辺側の端面７４Ｄよりも内側の周縁部にも、係止ピン１１０（１１０ｙ）が切り欠き７３（７３ｙ）を利用して挿入されている。これらの係止ピン１１０ｘ、１１０ｙの周囲には、輝度の低い部分は生じていない。
【００４９】
以上のように、本実施形態のエッジライト式面状光源装置４は、各係止ピン１０の周囲（特に、背後）を、他の部分と同様に明るくすることができるため、輝度ムラが抑制された均一な面状の光を出射することができる。また、このようなエッジライト式面状光源装置４を備えた液晶表示装置１は、表示面の輝度ムラ（表示ムラ）が抑制される。
【００５０】
本実施形態では、抵抗素子をＬＥＤ基板上に実装して、特定のＬＥＤ素子に流れる電流を増加させ、そしてそのＬＥＤ素子の輝度を高めている。その為、抵抗素子の抵抗値を調節するだけで、特定のＬＥＤ素子の輝度を容易に調節することができる。また、本実施形態では、特定のＬＥＤ素子の輝度を高めるために、ＬＥＤ素子の形状等を変更する必要がないため、例えば、導光板と線状光源ユニットとの距離等の位置関係として、従来のものを利用できる場合がある。
【００５１】
本実施形態においては、１本の係止ピン１０に対して、近傍に配置する２個のＬＥＤ素子１１１の輝度を、他のＬＥＤ素子の輝度よりも高く（明るく）なるように設定していた。他の実施形態においては、１本の係止ピン１０に対して、近傍の１個のＬＥＤ素子１１１の輝度を高めても良いし、近傍の３個以上のＬＥＤ素子１１１の輝度を高めても良い。
【００５２】
他の実施形態においては、切り欠き７３に替えて、導光板７の周縁部を貫通する貫通孔を採用してもよい。この貫通孔としては、従来、位置決め等の目的で導光板の周縁部に設けられているものを適用できる。
【００５３】
他の実施形態においては、線状光源ユニットは、導光板７の何れ端面７４に向けて配置されてもよい。
【図１】
2011114598.tif 000003
【図２】
2011114598.tif 000004
【図３】
2011114598.tif 000005
【図４】
2011114598.tif 000006
【図５】
2011114598.tif 000007
【国際調査報告】
2011114598.tif 000008
2011114598.tif 000009
2011114598.tif 000010